(57)【特許請求の範囲】
【請求項１】
長尺材の長手方向の中途部分に、この長尺材を他の部材に取り付けるためのクランプを嵌合可能とする嵌合装置を設け、この嵌合装置が、作業用の静止側部材に取り付けられ、上記長尺材の中途部分を所定位置に位置決めする位置決め部と、この位置決め部により位置決めされた上記長尺材の中途部分に向けて上記クランプを押動し、このクランプを上記長尺材の中途部分に圧接状に嵌合させるクランプ押動体とを有した長尺材へのクランプ取付装置において、
上記嵌合装置を個別に複数設け、これら嵌合装置がそれぞれ個別に位置変更可能となるよう、上記静止側部材に上記位置決め部を着脱可能に取り付けたことを特徴とする長尺材へのクランプ取付装置。
【請求項２】
上記クランプ押動体が、上記静止側部材に取り付けられる基台と、この基台に移動可能となるよう支持され、上記クランプが上記長尺材の中途部分に嵌合するよう上記クランプを押動可能とする押動部とを有し、この押動部がクランプを押動するとき上記押動部が平行移動させられる一方、この平行移動の範囲を越えて上記押動部が上記長尺材の中途部分から離反するとき上記押動部が上記基台回りに回動移動させられるよう、上記押動部を上記基台に支持させたことを特徴とする請求項１に記載の長尺材へのクランプ取付装置。
【発明の詳細な説明】
【技術分野】
【０００１】
本発明は、車両における燃料用パイプ材など長尺材の長手方向の中途部分に対し、この長尺材を他の部材に取り付け可能とするクランプを嵌合させる嵌合装置を設けた長尺材へのクランプ取付装置に関するものである。
【背景技術】
【０００２】
車両における走行用駆動エンジンへの燃料の供給は、通常、車載燃料タンクの燃料をパイプ材を通し燃料ポンプにより送液することにより行われる。また、この燃料供給時の余剰燃料はリターン用のパイプ材を通し上記燃料タンクに戻される。一方、車両の制動は、オイルタンクのブレーキオイルをパイプ材を通し各車輪のブレーキ装置に送液することにより行われる。
【０００３】
上記の場合、長尺材である上記各パイプ材は車体に取り付けられるが、この取付作業が容易にできるようにするため、従来、下記特許文献１に示されるものが提案されている。即ち、上記各パイプ材は、予め、互いに並設状態にされる。次に、これら各パイプ材の長手方向の複数中途部分にそれぞれクランプが嵌合により取り付けられて、これらクランプにより上記各パイプ材同士が連結される。この結果、上記各パイプ材とクランプとは、全体としてコンパクトなユニット体とされる。そして、このユニット体を車体に取り付けることとすれば、上記各パイプ材を個別に車体に取り付けることに比べ、上記各パイプ材の取付作業は容易にできることとなる。
【０００４】
ここで、上記ユニット体の形成時に、各パイプ材の長手方向の複数中途部分にそれぞれクランプを嵌合により取り付け可能とする長尺材へのクランプ取付装置には、従来の技術として、次のように構成されたものがある。
【０００５】
即ち、上記クランプ取付装置には、パイプ材の長手方向の中途部分に、このパイプ材を他の部材に取り付けるためのクランプを嵌合可能とする嵌合装置が設けられる。この嵌合装置は、作業用の静止側部材である作業用テーブルに取り付けられ、上記パイプ材の中途部分を所定位置に位置決めする位置決め部と、この位置決め部により位置決めされた上記パイプ材の中途部分に向けて上記クランプを押動し、このクランプを上記パイプ材の中途部分に圧接状に嵌合させるクランプ押動体とを有している。また、このクランプ取付装置では、上記嵌合装置が複数設けられており、これら各嵌合装置の位置決め部は、作業用テーブルにそれぞれ固定されて一体的となるよう互いに結合され、また、上記各クランプ押動体も、これらに共用される基台にそれぞれ固定されて一体的となるよう互いに結合されている。
【先行技術文献】
【特許文献】
【０００６】
【特許文献１】実開昭６２−２６７６１号公報
【発明の概要】
【発明が解決しようとする課題】
【０００７】
ところで、上記した従来の技術では、クランプ取付装置における各嵌合装置の位置決め部とクランプ押動体とはそれぞれ一体的にとなるよう互いに結合されており、これにより、上記各嵌合装置の相対位置は一定に定められたものとなっている。このため、上記長尺材へのクランプ取付装置によれば、形状が一定である各パイプ材の長手方向の複数中途部分にそれぞれクランプを取り付けることは容易にできる。
【０００８】
しかし、上記従来の技術では、次のような問題点がある。
【０００９】
即ち、近時、車両は多品種に向かう傾向があって、上記各パイプ材は、その都度、形状変更されることがある。この場合、上記従来の技術では各嵌合装置の相対位置は一定に定められているため、上記各パイプ材の形状変更が部分的であるとしても、この形状変更に伴い、上記各嵌合装置の相対位置を全体的に見直してこれら各嵌合装置の全体的な組み付けをやり直す作業が要求される。しかし、このような作業は煩雑であることから、上記各パイプ材へのクランプの取付作業は煩雑となりがちである。
【課題を解決するための手段】
【００１０】
本発明は、上記のような事情に注目してなされたもので、本発明の目的は、パイプ材など長尺材の長手方向の複数中途部分に対しそれぞれクランプを嵌合により取り付ける際のクランプ取付作業が容易にできるようにすることである。
【００１１】
請求項１の発明は、長尺材２の長手方向の中途部分に、この長尺材２を他の部材に取り付けるためのクランプ３を嵌合可能とする嵌合装置７を設け、この嵌合装置７が、作業用の静止側部材８に取り付けられ、上記長尺材３の中途部分を所定位置に位置決めする位置決め部９と、この位置決め部９により位置決めされた上記長尺材２の中途部分に向けて上記クランプ３を押動し、このクランプ３を上記長尺材２の中途部分に圧接状に嵌合させるクランプ押動体１０とを有した長尺材へのクランプ取付装置において、
上記嵌合装置７を個別に複数設け、これら嵌合装置７がそれぞれ個別に位置変更可能となるよう、上記静止側部材８に上記位置決め部９を着脱可能に取り付けたことを特徴とする長尺材へのクランプ取付装置である。
【００１２】
請求項２の発明は、上記クランプ押動体１０が、上記静止側部材８に取り付けられる基台２９と、この基台２９に移動可能となるよう支持され、上記クランプ３が上記長尺材２の中途部分に嵌合するよう上記クランプ３を押動可能とする押動部３０とを有し、この押動部３０がクランプ３を押動するとき上記押動部３０が平行移動Ａさせられる一方、この平行移動Ａの範囲を越えて上記押動部３０が上記長尺材２の中途部分から離反するとき上記押動部３０が上記基台２９回りに回動移動Ｂさせられるよう、上記押動部３０を上記基台２９に支持させたことを特徴とする請求項１に記載の長尺材へのクランプ取付装置である。
【００１３】
なお、この項において、上記各用語に付記した符号や図面番号は、本発明の技術的範囲を後述の「実施例」の項や図面の内容に限定解釈するものではない。
【発明の効果】
【００１４】
本発明による効果は、次の如くである。
【００１５】
請求項１の発明は、長尺材の長手方向の中途部分に、この長尺材を他の部材に取り付けるためのクランプを嵌合可能とする嵌合装置を設け、この嵌合装置が、作業用の静止側部材に取り付けられ、上記長尺材の中途部分を所定位置に位置決めする位置決め部と、この位置決め部により位置決めされた上記長尺材の中途部分に向けて上記クランプを押動し、このクランプを上記長尺材の中途部分に圧接状に嵌合させるクランプ押動体とを有した長尺材へのクランプ取付装置において、
上記嵌合装置を個別に複数設け、これら嵌合装置がそれぞれ個別に位置変更可能となるよう、上記静止側部材に上記位置決め部を着脱可能に取り付けている。
【００１６】
このため、上記長尺材の複数中途部分にそれぞれクランプを各嵌合装置により嵌合させようとする際に、上記長尺材に部分的な形状変更が生じた場合には、この形状変更が生じた部分についてのみ、上記嵌合装置が合致するよう位置変更させて、この嵌合装置の位置決め部を上記静止側部材に取り付ければよい。よって、長尺材の部分的な形状変更に伴い、上記各嵌合装置の相対位置を全体的に見直してこれら各嵌合装置の全体的な組み付けをやり直す作業は必要なく、各嵌合装置のうちの一部の位置変更で足りることから、長尺材の長手方向の複数中途部分にそれぞれクランプを嵌合させる際のクランプ取付作業は容易にできる。
【００１７】
請求項２の発明は、上記クランプ押動体が、上記静止側部材に取り付けられる基台と、この基台に移動可能となるよう支持され、上記クランプが上記長尺材の中途部分に嵌合するよう上記クランプを押動可能とする押動部とを有し、この押動部がクランプを押動するとき上記押動部が平行移動させられるよう、この押動部を上記基台に支持させている。
【００１８】
このため、上記クランプを長尺材の中途部分に嵌合させようとして、上記クランプを押動部が押動するとき、この押動部から上記クランプに与えられる各部押圧力を互いにより均一にさせることができる。よって、上記クランプは上記長尺材の中途部分に対し偏りなく嵌合させられることから、所望の嵌合が達成される。
【００１９】
また、上記平行移動の範囲を越えて上記押動部が上記長尺材の中途部分から離反するとき上記押動部が上記基台回りに回動移動させられるよう、上記押動部を上記基台に支持させている。
【００２０】
このため、上記嵌合装置におけるクランプ押動体の基台と押動部の移動軌跡との占有空間は、上記基台の周辺にコンパクトに限定される。よって、長尺材の中途部分にクランプを嵌合させる作業をする際の作業空間は、上記基台の周辺から、その外方域に向かって広く確保でき、その分、上記クランプ取付作業はより容易にできる。
【図面の簡単な説明】
【００２１】
【図１】平面図である。
【図２】側面図である。
【図３】正面図である。
【図４】斜視展開図である。
【発明を実施するための形態】
【００２２】
本発明の長尺材へのクランプ取付装置に関し、パイプ材など長尺材の長手方向の複数中途部分に対しそれぞれクランプを嵌合により取り付ける際のクランプ取付作業が容易にできるようにする、という目的を実現するため、本発明を実施するための形態は、次の如くである。
【００２３】
即ち、長尺材へのクランプ取付装置には、長尺材の長手方向の中途部分に、この長尺材を他の部材に取り付けるためのクランプを嵌合可能とする嵌合装置が設けられる。この嵌合装置は、作業用の静止側部材に取り付けられ、上記長尺材の中途部分を所定位置に位置決めする位置決め部と、この位置決め部により位置決めされた上記長尺材の中途部分に向けて上記クランプを押動し、このクランプを上記長尺材の中途部分に圧接状に嵌合させるクランプ押動体とを有している。上記嵌合装置は個別に複数設けられる。これら嵌合装置がそれぞれ個別に位置変更可能となるよう、上記静止側部材に上記位置決め部が着脱可能に取り付けられる。
【実施例】
【００２４】
本発明をより詳細に説明するために、その実施例を添付の図に従って説明する。
【００２５】
図において、符号１は、車両の車体に取り付けられる流体流動用のユニットである。このユニット１は、互いに並設されて互いにほぼ平行に延びる複数のパイプ材である長尺材２と、これら各長尺材２のそれぞれ長手方向における所定の複数中途部分にそれぞれ嵌合されて、これら各長尺材２同士を連結する複数の樹脂製クランプ３とを備えている。そして、上記ユニット１は、これが一体的に車体に取り付けられることにより、車体への各長尺材２の取り付け作業が容易にできることとされる。
【００２６】
具体的には、上記長尺材２は、車両の車載燃料タンクからエンジンに燃料を送液するパイプ材や、オイルタンクからブレーキ装置にブレーキオイルを送液するパイプ材などである。上記クランプ３は、全体として直方体形状をなし、その一面に形成され、上記各長尺材２の長手方向の中途部分をそれぞれ弾性的に圧接状に嵌入可能とさせる複数の圧入溝４を有している。
【００２７】
また、図中符号６は、上記長尺材２の長手方向における所定の複数中途部分にそれぞれ上記クランプ３を取り付けるための長尺材へのクランプ取付装置である。
【００２８】
上記クランプ取付装置６は、上記ユニット１における長尺材２をこの長尺材２に隣接する他の部材である他の長尺材２に取り付けるために（換言すれば、互いに並設された複数長尺材２同士を互いに取り付けるために）、上記各長尺材２の複数中途部分にそれぞれ上記クランプ３を嵌合可能とする嵌合装置７を有している。
【００２９】
上記嵌合装置７は、作業用の静止側部材８に取り付けられ、上記各長尺材２の中途部分を所定位置に位置決めする位置決め部９と、この位置決め部９により位置決めされた上記各長尺材２の中途部分に向けて上記クランプ３を押動し、このクランプ３を上記各長尺材２の中途部分にそれぞれ圧接状に嵌合させるクランプ押動体１０とを有している。上記静止側部材８は、上面が水平方向に平坦に延びる作業用テーブル１４である。
【００３０】
上記位置決め部９は、上記長尺材２の長手方向に向かって位置変更可能となるよう、締結具１５により上記作業用テーブル１４の上面に着脱可能に取り付けられる基台１６と、上下方向に位置変更可能となるよう、締結具１７により上記基台１６に着脱可能に取り付けられる昇降台１８と、長尺材へのクランプ取付装置６の平面視（図１）で、上記長尺材２の長手方向に直交する軸心１９回りで位置変更可能となるよう、締結具２０により上記昇降台１８に着脱可能に取り付けられる回動台２１とを有している。
【００３１】
また、上記位置決め部９は、上記回動台２１の上面に支持され、上記長尺材２の長手方向で互いに少し離れて位置する一対の位置決め台２４，２４を有し、これら位置決め台２４の上部には、それぞれ上方に向かって開き、その上方から上記各長尺材２の中途部分をそれぞれ個別に嵌脱可能に嵌入させる嵌入溝２５が形成される。
【００３２】
上記クランプ押動体１０は、上記静止側部材８である作業用テーブル１４に上記位置決め部９の回動台２１を介し取り付けられる基台２９と、この基台２９に移動可能となるよう支持され、上記クランプ３が上記位置決め部９により位置決めされた各長尺材２の中途部分に嵌合するよう、上記クランプ３を上記中途部分に向けて押動可能とする押動部３０と、上記回動台２１に取り付けられ、上記押動部３０の長手方向の一端部３０ａに枢支具３１ａにより連結され、上記押動部３０を移動させるよう作動する油圧シリンダ式のアクチュエータ３１とを有している。
【００３３】
上記基台２９は、上記位置決め部９の回動台２１の上面に取り付けられ、上記長尺材２の長手方向で互いに少し離れて対面する一対の基板３３，３３を有している。これら各基板３３にそれぞれカム溝３４が形成される。上記押動部３０の長手方向の一端部３０ａは上記一対の基板３３，３３の間に配置され、上記押動部３０の一端部３０ａには、上記各カム溝３４にそれぞれカム係合する一対のカム突起３５，３５が突設される。
【００３４】
上記クランプ押動体１０のアクチュエータ３１を作動させれば、上記押動部３０は上記各カム溝３４へのカム突起３５，３５のカム係合に依り移動することとされ、この移動により上記押動部３０の他端部３０ｂは上記クランプ３を押動し、このクランプ３を上記各長尺材２の中途部分に嵌合させるよう作動する（図１〜３中実線）。
【００３５】
そして、上記したように押動部３０の他端部３０ｂがクランプ３を押動するとき、上記押動部３０は、各長尺材２の径方向、クランプ３の各圧入溝４の開口方向、および位置決め部９の各嵌入溝２５の開口方向に向かって平行移動Ａさせられる。一方、この平行移動Ａの範囲を越えて上記押動部３０が上記各長尺材２の中途部分から離反するとき、上記押動部３０は、上記基台２９回りに回動移動Ｂさせられるようになっている。
【００３６】
上記位置決め部９とクランプ押動体１０とを有する嵌合装置７は、上記各長尺材２の長手方向に沿って、それぞれ個別に複数（図１の例では４つ）設けられる。これら各嵌合装置７は、前記した位置決め部９の構成により、それぞれ個別に位置変更可能となるよう、上記静止側部材８である作業用テーブル１４の上面に着脱可能に取り付けられる。
【００３７】
複数の長尺材２を互いに並設させた状態で、これら各長尺材２の複数中途部分にそれぞれ上記クランプ３を嵌合させ、これにより上記各長尺材２を互いに連結してユニット１を形成しようとする場合には、まず、上記各嵌合装置７を上記各長尺材２の長手方向に沿った複数の各所定位置に設け、上記静止側部材８である作業用テーブル１４の上面上に上記各嵌合装置７の位置決め部９を取り付ける。そして、上記各長尺材２の中途部分を上記各嵌合装置７の位置決め部９の各嵌入溝２５に嵌入させれば、上記各長尺材２の複数中途部分の位置決めがそれぞれできる。
【００３８】
次に、上記位置決め部９により位置決めされた各長尺材２の中途部分に対し、それぞれ上記クランプ３の各圧入溝４が対向するようこのクランプ３を上記各長尺材２の中途部分上に載置する。次に、上記クランプ押動体１０のアクチュエータ３１を作動させ、上記押動部３０の他端部３０ｂを上記各長尺材２の中途部から離れたところから上記クランプ３に向けて回動移動Ｂさせ始める（図２中、二点、一点鎖線）。
【００３９】
上記アクチュエータ３１を更に作動させれば、上記押動部３０は平行移動Ａすることとされて、この押動部３０の他端部３０ｂは上記クランプ３を押動し、これにより、このクランプ３の各圧入溝４は上記各長尺材２の中途部分にそれぞれほぼ同時に嵌合する（図１〜３中、実線）。これにより、上記各長尺材２の中途部分へのクランプ３の嵌合が完了し、上記各長尺材２同士が連結されてユニット１が形成される。そこで、上記アクチュエータ３１を上記とは逆に作動させて、上記押動部３０を上記クランプ３から離反させれば（図２中、二点鎖線）、上記各嵌合装置７の位置決め部９から上記ユニット１を取り出すことができる。
【００４０】
上記の場合、嵌合装置７を個別に複数設け、これら嵌合装置７がそれぞれ個別に位置変更可能となるよう、上記静止側部材８に上記位置決め部９を着脱可能に取り付けている。
【００４１】
このため、上記長尺材２の複数中途部分にそれぞれクランプ３を各嵌合装置７により嵌合させようとする際に、上記長尺材２に部分的な形状変更が生じた場合には、この形状変更が生じた部分についてのみ、上記嵌合装置７が合致するよう位置変更させて、この嵌合装置７の位置決め部９を上記静止側部材８に取り付ければよい。よって、長尺材２の部分的な形状変更に伴い、上記各嵌合装置７の相対位置を全体的に見直してこれら各嵌合装置７の全体的な組み付けをやり直す作業は必要なく、各嵌合装置７のうちの一部の位置変更で足りることから、長尺材２の長手方向の複数中途部分にそれぞれクランプ３を嵌合させる際のクランプ取付作業は容易にできる。
【００４２】
また、前記したように、クランプ押動体１０が、静止側部材８に取り付けられる基台２９と、この基台２９に移動可能となるよう支持され、上記クランプ３が上記長尺材２の中途部分に嵌合するよう上記クランプ３を押動可能とする押動部３０とを有し、この押動部３０がクランプ３を押動するとき上記押動部３０が平行移動Ａさせられるよう、この押動部３０を上記基台２９に支持させている。
【００４３】
このため、上記クランプ３を長尺材２の中途部分に嵌合させようとして、上記クランプ３を押動部３０が押動するとき、この押動部３０から上記クランプ３に与えられる各部押圧力を互いにより均一にさせることができる。よって、上記クランプ３は上記長尺材２の中途部分に対し偏りなく嵌合させられることから、所望の嵌合が達成される。
【００４４】
また、上記平行移動Ａの範囲を越えて上記押動部３０が上記長尺材２の中途部分から離反するとき上記押動部３０が上記基台２９回りに回動移動Ｂさせられるよう、上記押動部３０を上記基台２９に支持させている。
【００４５】
このため、上記嵌合装置７におけるクランプ押動体１０の基台２９と押動部３０の移動軌跡との占有空間は、上記基台２９の周辺にコンパクトに限定される。よって、長尺材２の中途部分にクランプ３を嵌合させる作業をする際の作業空間は、上記基台２９の周辺から、その外方域に向かって広く確保でき、その分、上記クランプ取付作業はより容易にできる。
【００４６】
なお、上記長尺材２は、車両部品に限定されるものではなく、各種工業製品に用いられるものであってもよい。また、長尺材２は一本のみでもよく、その断面形状は矩形や中実であってもよい。また、上記実施例におけるクランプ３は、互いに並設された長尺材２，２同士を互いに取り付けるもの（これを換言すれば、長尺材２，２のうち、いずれか一方の長尺材２を他方の部材である他の長尺材２に取り付けるもの）であるが、長尺材２を車体など他の部材に取り付けるものであってもよい。
【００４７】
また、上記複数の長尺材２は、その長手方向の一部分が水平方向に並設され、他部分が上下方向に並設されるものであってもよい。この場合、各長尺材２を各嵌合装置７の位置決め部９の各嵌入溝２５に嵌脱させることが容易にできるようにするため、上記各嵌入溝２５が形成された位置決め台２４を、上記各長尺材２の径方向外方に向かって回動台２１に対し位置変更可能となるようこの回動台２１に支持させてもよい。
【符号の説明】
【００４８】
１    ユニット
２    長尺材
３    クランプ
４    圧入溝
６    長尺材へのクランプ取付装置
７    嵌合装置
８    静止側部材
９    位置決め部
１０  クランプ押動体
２９  基台
３０  押動部
３０ａ  一端部
３０ｂ  他端部
３１  アクチュエータ
３１ａ  枢支具
Ａ    平行移動
Ｂ    回動移動
【図１】
0006389699.tif 000002
【図２】
0006389699.tif 000003
【図３】
0006389699.tif 000004
【図４】
0006389699.tif 000005